(57)【要約】【課題】全方位に動作することにより、運動効果を保ちながら、変化のある楽しいステッパーの構造装置を提供する。      【解決手段】ステッパーの構造装置は、主にステッパー本体の底フレームとペダルの間に枢設軸関節を設置する。その枢設軸関節は縦軸部によってペダルと枢設され、横軸部と底フレームを枢設し、ペダルを底フレームに対して縦方向、横方向全方位に動かす。またこの枢設軸関節は第一減衰振動ユニットと第二減衰振動ユニットを含み、第一減衰振動ユニットの設置により、ペダルを縦方向に動かす時、相対した第一減衰振動ユニットの圧縮により、抵抗力を得る。更に第二減衰振動ユニットの設置によって、第二減衰振動ユニットとペダルが相互に当たり、ペダルが横方向に動く時、抵抗力を得る。【選択図】図１
0003121382.tif 000002
【実用新案登録請求の範囲】
【請求項１】
主にステッパー本体から構成されたステッパーの構造装置において、
前記ステッパー本体は、ペダル及び底フレームを含み、前記ペダルは前記底フレームに枢設され、前記ペダルが縦方向、横方向の全方位に動作することを特徴とするステッパーの構造装置。
【請求項２】
前記ペダルと前記底フレームは、その間に枢設軸関節によって枢設され、その前記枢設軸関節には複数の減衰振動ユニットが設置されて前記ペダル動作時の抵抗力を提供することを特徴とする請求項１記載のステッパーの構造装置。
【請求項３】
前記枢設軸関節は、縦軸部と横軸部を具え、前記ペダルが全方位に動作するのに効果を与えることを特徴とする請求項２記載のステッパーの構造装置。
【請求項４】
前記枢設軸関節は、第一減衰振動ユニットが設置されて前記ペダルに対応して縦方向に動作し、第二減衰振動ユニットは前記ペダルに対応して横方向に動作することを特徴とする請求項２記載のステッパーの構造装置。
【請求項５】
主にステッパー本体から構成され、前記ステッパー本体はペダル、底フレーム、枢設軸関節を含むステッパーの構造装置において、そのうち、
前記ペダルは前記枢設軸関節によって前記底フレームと枢設し、この前記枢設軸関節には縦軸部と横軸部が設置され、前記ペダルを縦方向及び横方向の全方位に動作させる効果を具え、前記枢設軸関節上に第一減衰振動ユニットが設置されて前記ペダルが縦方向に動作する時の抵抗力を提供し、また第二減衰振動ユニットは横方向に動作する時の抵抗力を提供することを特徴とするステッパーの構造装置。
【請求項６】
前記ステッパー本体は、単一の前記ペダルを具えることを特徴とする請求項１もしくは５記載のステッパーの構造装置。
【請求項７】
前記ペダルは、縦方向に長い円弧形状面板であることを特徴とする請求項１もしくは５記載のステッパーの構造装置。
【請求項８】
前記ペダルと前記枢設軸関節は、その間に支持桿が設置されることを特徴とする請求項１もしくは５記載のステッパーの構造装置。
【請求項９】
前記底フレームには、所定の箇所に停止柱が設置され、前記ペダルが過度に傾斜するのを防止することを特徴とする請求項１もしくは５記載のステッパーの構造装置。
【請求項１０】
前記枢設軸関節の前記横軸部は、前記底フレームに枢設され、前記枢設軸関節は前記底フレームと相対した横方向に動作し、また前記枢設軸関節の前記縦軸部は前記ペダルと枢設して前記ペダルを前記枢設軸関節と相対した縦方向に動作することを特徴とする請求項３もしくは５記載のステッパーの構造装置。
【請求項１１】
前記第一減衰振動ユニットと前記第二減衰振動ユニットは、それぞれ二つの減衰振動器を含むことを特徴とする請求項４もしくは５記載のステッパーの構造装置。
【考案の詳細な説明】
【技術分野】
【０００１】
本考案は、ステッパーの構造装置に関するもので、縦方向、横方向の全方位に動作するものである。
【背景技術】
【０００２】
現代人は、一般に運動する時間と空間が不足しているため、家庭で使用できる小型運動器材が各種市場に出回っている。利用者は、それら小型運動機材を用いることによって僅かな時間で運動することができる。それら小型運動機材の中でもステッパーが特に好まれているのは、使用方法が簡単であり、適用年齢幅も広く、価格も適正であるためであり、その結果、広く人々に受け入れられている。更にステッパーの商機は高いことから、メーカーは、各種機能として、例えばカウンター機能等を増設している。
【０００３】
公知のステッパーは、主に二つのペダルが設置される。この二つのペダルは、左右の各足部に対応し、利用者は、両足を置いて、上下に動かす。しかしながら、この種の構造は、体力をつけることや、カロリーを消費することには、確かな効果があるが、運動が単調な上下往復運動だけなので、飽きやすく、一時的に使用してもそのうちに使用しなくなる。
【０００４】
公知の別種ステッパーは、台湾の特許公告第５５９０８９号の「エアロビクス健康器具(一)」に開示され、主に底フレームに全方向継ぎ手及び套筒管体が上板に枢設される。この上板は使用者が踏む為に使用され、上板が多角度に動くことにより、使用の楽しみが増し、使用者を引き付ける。
【０００５】
この公知のエアロビクス健康器具は、それまでのステッパーに比べて変化に富み、使用者を飽きさせない。しかし、この種の器材は、「全方向軸ヘッド」によって上板と底フレームの間の枢設接合部品となっており、全方向軸ヘッド本体は、上板を踏んだ時に抵抗力を具えていないため、この種の全方向軸ヘッドは、他方向回転機能を具えながら、一般のステッパーのような適度な減衰振動効果を得られない。更に構造上、強度が比較的弱いため、公知のエアロビクス健康器具は、公知のステッパーと比較して使用して楽しみは得られるものの、真の意味での運動効果は得られず、且つ壊れやすい。つまり、使用者にとって、不必要な出費となるだけでなく、怪我をしてしまう危険性もある。
【考案の開示】
【考案が解決しようとする課題】
【０００６】
解決しようとする問題点は、公知のステッパーもしくはエアロビクス健康器具にはどちらもそれぞれの欠点があり、有効な運動ができ、安全で、且つ楽しさを具えたものがない点である。
【課題を解決するための手段】
【０００７】
本考案は、主にステッパー本体の底フレームとペダルの間に枢設軸関節を設置する。その枢設軸関節は、縦軸部によってペダルと枢設され、横軸部と底フレームを枢設し、ペダルを底フレームに対して縦方向、横方向全方位に動かす。またこの枢設軸関節は、第一減衰振動ユニットと第二減衰振動ユニットを含み、第一減衰振動ユニットの設置により、ペダルを縦方向に動かす時、相対した第一減衰振動ユニットの圧縮により、抵抗力を得る。更に第二減衰振動ユニットの設置によって、第二減衰振動ユニットとペダルが相互に当たり、ペダルが横方向に動く時、抵抗力を得ることを最も主要な特徴とする。
【考案の効果】
【０００８】
本考案のステッパーの構造装置は、公知のステッパーが具える良好な運動効果を保ちつつ、その他の運動器材が具える変化に富んで楽しく運動する効果と融合した。全方位のペダル動作により、使用者は室内でも波乗りのような楽しみを得ることができ、娯楽と同時に運動効果を得るという利点がある。
【考案を実施するための最良の形態】
【０００９】
本考案の主な目的は、ステッパーの構造装置を提供することであり、本考案によって、公知の小型健康器具の操作が単調、運動効果が低い、もしくは構造強度が弱く、事故が起こりやすいという欠点を改善する。
【００１０】
前述の目的を達成するため、本考案はステッパー本体の底フレームとペダルの間に枢設軸関節を設置する。その枢設軸関節は、縦軸部によってペダルと枢設され、ペダルを底フレームに対して縦方向、横方向の全方位に動かす。またこの枢設軸関節は、第一減衰振動ユニットと第二減衰振動ユニットを含み、第一減衰振動ユニットをペダルの底部に設置することによって、ペダルを縦方向に動かした時、相対した第一減衰振動ユニットの圧縮により、抵抗力を得る。また第二減衰振動ユニットの設置によって、第二減衰振動ユニットとペダルが相互に当たり、ペダルが横方向に動く時、抵抗力を得る。この第一、第二減衰振動ユニットの設置によって、使用者がペダルを踏んだ時に運動効果が発生するだけでなく、第一、第二減衰振動ユニットが枢設軸関節に依る使用時の衝撃を吸収し、枢設軸関節によって受ける使用者の運動時の衝撃を減らし、製品の使用寿命を延ばす。
【００１１】
本考案のステッパーの構造装置は、公知のステッパーが有する運動効果を残しつつ、その他の運動器具の変化に富んだ楽しさと融合させ、全方位にペダルが動くように設計されている。そのため、使用者は室内に居ながら、波乗りのような楽しさを得ることができ、同時に運動効果も得ることができる。
【００１２】
更にペダルの上に使用者が乗って全方位に動いた時、ペダルのふり幅が大きすぎて、使用者が重心を失うことを防止するため、底フレームの両端に停止柱を設置している。この停止柱がペダルの振り幅を制限するため、ペダルは、使用者が倒れてしまわない範囲で動き、安全性を高める。
【００１３】
図１から図４に示すとおり、この種のステッパーの構造装置は、主にステッパー本体１からなる。このステッパー本体１は、ペダル１０、底フレーム２０及びペダル１０及び底フレーム２０の間の枢設軸関節３０を含み、この枢設軸関節３０は縦方向、横方向に動く特性を具え、ペダル１０によって全方位に足踏み運動効果を得る。
【００１４】
このペダル１０は、縦方向に長い円弧形の面板であり、且つこのペダル１０に使用者の両足を乗せる。ペダル１０底部には二本の支持桿１１が固定され、その支持桿１１が各々ペダル１０及び枢設軸関節３０を止め、ペダル１０と枢設軸関節３０を結合する。
【００１５】
底フレーム２０は、Ｈ字型の基礎台で、ペダル１０と同じ縦方向に長い形体をしている。この底フレーム２０の四隅には各々滑り止めの停止塊２１が設置され、また底フレーム２０の縦長方向の両端には、それぞれ停止柱２２が設置される。この停止柱２２はペダル１０の過大な振り幅を防止して、過度に傾斜することを防止する。底フレーム２０の中心箇所には枢設軸関節３０が設置される。
【００１６】
この枢設軸関節３０は、底フレーム２０及びペダル１０の間に枢設される。またこの枢設軸関節３０は主に縦軸部３１、横軸部３２、第一減衰振動ユニット３３、第二減衰振動ユニット３４を含む。この縦軸部３１は、ペダル１０と相互に連接し、それは二本の連動桿３１１によって支持桿１１の前後両端に枢設され、支持桿１１上のペダル１０が縦軸部３１によって縦方向に動く時の軸心となる。また横軸部３２は、底フレーム２０と相互に連接し、その横軸部３２が枢設軸関節３０と底フレーム２０を横方向に動かし、枢設軸関節３０上のペダル１０を横方向に動かす。
【００１７】
更にこの枢設軸関節３０には、第一減衰振動ユニット３３と第二減衰振動ユニット３４が設置される。第一減衰振動ユニット３３は各々枢設軸関節３０及び二本の連動桿の間に設置され、ペダル１０が縦方向に動作し、縦軸部３１の連動桿が動いた時、第一減衰振動ユニット３３によって適度な抵抗力を与える。また枢設軸関節３０は、両側に第二減衰振動ユニット３４を設置する。この第二減衰振動ユニット３４上は、連桿３４１によって二本の支持桿１１の底部を支え、これによってペダル１０が横方向に動作した時、第二減衰振動ユニット３４によって抵抗力が与えられる。上述の第一、第二減衰振動ユニット３３、３４の設置によって、ペダル１０を踏んだ時に十分な抵抗力が発生し、確実な運動効果を達成する。この第一、第二減衰振動ユニット３３、３４の設置によって、使用者がペダル１０を踏んだ時に抵抗力が発生するだけでなく、枢設軸関節３０が使用時の衝撃を吸収し、枢設軸関節３０によって使用者の運動時の衝撃も減少させ、且つ製品の寿命も延ばす。
【００１８】
ステッパー本体１を組み立てる時、図１に示すとおり、先ず枢設軸関節３０を横軸部３２で底フレーム２０の中心に枢設し、その枢設軸関節３０と底フレーム２０を横方向に動くような結合状態にする。図２に示すとおり、第二減衰振動ユニット３４を枢設軸関節３０の両側に跨ぐように設置し、第二減衰振動ユニット３４の動作をペダル１０の動作方向に連動させる。図３に示すとおり、支持桿１１の前後端を連動桿上に枢設し、その支持桿１１と第二減衰振動ユニット３４の連桿３４１が接触して合わさるようにする。図４に示すとおり、ペダル１０を支持桿１１上に固定し、組立が完成する。
【００１９】
このステッパー本体１を使用する時、図５から図１０に示すとおり、ペダル１０は縦方向及び横方向の全方位に動作する。図５，６に示すとおり、縦方向に踏んだ時、そのペダル１０は、支持桿１１及び連動桿によって、枢設軸関節３０の縦軸部３１を中心として前後に動き、第一減衰振動ユニット３３の一端は支持桿１１に固定される。このため、ペダル１０が縦方向に動作し、第一減衰振動ユニット３３がペダル１０を踏んだ抵抗力に対抗することによって、ステッパーの運動機能を発揮する。更に縦方向に動作する時、ペダル１０の振動振り幅が大きくなって使用者が転倒するのを防止するため、底フレーム２０上の停止柱２２を設置してペダル１０の可動範囲を制限し、安全性を高める。
【００２０】
このペダル１０を横方向に踏んだ時、図７、８に示すとおり、枢設軸関節３０は横軸部３２によって底フレーム２０と枢設されているため、枢設軸関節３０上に設置したペダル１０は横軸部３２を中心として横方向の左右に動く。第二減衰振動ユニット３４上の連桿３４１は、ペダル１０の支持桿１１と相互に当たるため、ペダル１０が横方向に動作した時、第二減衰振動ユニット３４が圧縮され、第二減衰振動ユニット３４に抵抗力を与え、運動効果を得る。
【００２１】
本考案のペダル１０は、縦方向もしくは横方向に動くだけでなく、図９、１０に示すとおり、ペダル１０は、ペダル１０が縦方向と横方向の間の傾斜形態にも動き、使用者がペダル１０の異なる位置に任意に力をかけると、それに応じて、ペダル１０は相対して動き、ペダル１０が全方向に動き、適した往復運動時の抵抗力を与え、変化に富んで楽しく、且つ確実な運動効果を得る。
【００２２】
以上は、本考案の実施例を説明したもので、本考案のすべての形式を制限するものではない。依って、同じ考案精神の下に創作された如何なる装飾もしくは変更は、すべて本考案の保護範囲とする。また、第一、第二減衰振動ユニットは、二個以上の減衰振動器から構成される。
【図面の簡単な説明】
【００２３】
【図１】本考案の立体分解図である。
【図２】本考案の立体分解図である。
【図３】本考案の立体分解図である。
【図４】本考案の外観立体図である。
【図５】本考案の縦向ペダル動作指示図である。
【図６】本考案の縦向ペダル動作指示図である。
【図７】本考案の横方向ペダル動作指示図である。
【図８】本考案の横方向ペダル動作指示図である。
【図９】本考案の傾斜動作指示図である。
【図１０】本考案の傾斜動作指示図である。
【符号の説明】
【００２４】
１        ステッパー本体
１０        ペダル
１１        支持桿
２０        底フレーム
２１        停止塊
２２        停止柱
３０        枢設軸関節
３１        縦軸部
３１１        連動桿
３２        横軸部
３３        第一減衰振動ユニット
３４        第二減衰振動ユニット
３４１        連桿
【図１】
0003121382.tif 000003
【図２】
0003121382.tif 000004
【図３】
0003121382.tif 000005
【図４】
0003121382.tif 000006
【図５】
0003121382.tif 000007
【図６】
0003121382.tif 000008
【図７】
0003121382.tif 000009
【図８】
0003121382.tif 000010
【図９】
0003121382.tif 000011
【図１０】
0003121382.tif 000012